(57)【要約】【課題】本発明は、ユーザ操作性に優れたホーム画面を表示させることができる情報通信端末を提供する。【解決手段】操作される毎に操作履歴を記憶する記憶手段と、操作起点となるホーム画面を表示する際、操作履歴情報を取得してこの操作履歴情報から推奨情報を生成する生成手段（Ｓ１０５乃至Ｓ１０９）と、生成された推奨情報を含んだホーム画面を表示する表示手段（Ｓ１１１）と、を備えた。【選択図】  図４
2011066850.tif 000002
【特許請求の範囲】
【請求項１】
操作される毎に操作履歴を記憶する記憶手段と、
操作起点となるホーム画面を表示する際、前記記憶手段から操作履歴情報を取得してこの操作履歴情報に基づいて推奨情報を生成する生成手段と、
前記生成手段により生成された推奨情報を含んだホーム画面を表示する表示手段と、
を備えたことを特徴とする情報通信端末。
【請求項２】
操作される毎に操作履歴を記憶する記憶手段と、
前記記憶手段から操作履歴情報を取得してこの操作履歴情報に基づいて推奨情報を生成する生成手段と、
前記推奨情報の表示の指示を受け付ける第１の受付手段と、
前記第１の受付手段により指示が受け付けられた際、前記生成手段により生成された推奨情報を含んだホーム画面を表示する表示手段と、
を備えたことを特徴とする情報通信端末。
【請求項３】
前記記憶手段は、アプリケーションプログラムが操作されるとこのアプリケーションプログラムの操作履歴を記憶し、
前記生成手段は、前記記憶手段からアプリケーションプログラムの操作履歴を取得してこの操作履歴からアプリケーションプログラムのリストを生成し、
前記表示手段は、前記生成手段により生成されたアプリケーションプログラムのリストを含んだホーム画面を表示することを特徴とする請求項１または２記載の情報通信端末。
【請求項４】
前記記憶手段は、ウェブブラウザが操作されると、このウェブブラウザの操作履歴をアクセスされたＵＲＬを付加して記憶し、
前記生成手段は、前記記憶手段からウェブブラウザの操作履歴を取得し、この操作履歴に応じてＵＲＬのリストを生成し、
前記表示手段は、前記生成手段により生成されたＵＲＬのリストを含んだホーム画面を表示することを特徴とする請求項１または２記載の情報通信端末。
【請求項５】
前記表示手段は、前記生成手段により生成されたＵＲＬのリストの各々のＵＲＬのページ情報を取得してページ情報からそれぞれ起動アイコンを生成して、これらの起動アイコンをホーム画面に含めることを特徴とする請求項４記載の情報通信端末。
【請求項６】
前記記憶手段は、通話機能またはメール機能が操作されると、この操作履歴を通信相手を付加して記憶し、
前記生成手段は、前記通話機能またはメール機能の操作履歴を取得してこの操作履歴から通信相手及び操作内容の組のリストを生成し、
前記表示手段は、前記生成手段により生成された各々の通信相手及び操作内容の組のリストを含んだホーム画面を表示することを特徴とする請求項１または２記載の情報通信端末。
【請求項７】
前記記憶手段は、ウェブ閲覧機能が操作されると、この操作履歴を通信相手を付加して記憶し、
前記生成手段は、前記ウェブ閲覧機能の操作履歴を取得して、この操作履歴から各々のウェブサイトのＵＲＬ及び提供元の組のリストを生成し、
前記表示手段は、前記生成手段により生成された各々のウェブサイトのＵＲＬ及び提供元の組のリストを含んだホーム画面を表示することを特徴とする請求項１または２記載の情報通信端末。
【発明の詳細な説明】
【技術分野】
【０００１】
本発明は、操作の起点となる画面（ホーム画面）を表示する際、ユーザの操作履歴に応じてホーム画面を表示することができる情報通信端末に関する。
【背景技術】
【０００２】
ＰＤＡ（Ｐｅｒｓｏｎａｌ  Ｄｉｇｉｔａｌ  Ａｓｓｉｓｔａｎｔｓ）やＰＣ（Ｐｅｒｓｏｎａｌ  Ｃｏｍｐｕｔｅｒ）などの情報通信端末は、一般に、ユーザが操作の起点とする画面（ホーム画面）をディスプレイに表示させる機能を備えている。昨今、これらの情報通信端末におけるタッチパネル搭載が一般化してきており、タッチパネルを活用したユーザ操作性に優れたＵＩ設計が各社端末開発の課題となっている。特にホームのＵＩ設計においては、ユーザが希望する機能の呼び出しを如何に簡便とするかが、主要な設計課題の一つとなっている。
【０００３】
他方、情報通信端末に適用するための要素技術開発において、端末の位置情報、ユーザの操作履歴、時刻、ネットワークから取得する情報等の情報から、ユーザに対して所定機能を推奨するアルゴリズムの研究開発が盛んとなってきている。例えばユーザに対して所定機能を推奨するアルゴリズムを実現した処理である「レコメンドエンジン」は、情報通信端末内部に格納されているアプリ、登録されたコンタクト情報（電話帳に保存された電話番号やメールアドレス、ブログサイト等の個人データ）付き電話発信、メール作成やブラウザ閲覧、Ｗｅｂアクセス先情報（ＵＲＬやサイト名など）を出力可能である。
【０００４】
ユーザに対して機能を推奨する装置として、例えば、利用者による設定や操作を必要とせず、利用者の操作に先行して自律的に電気機器等の操作を自動制御することができる電気機器制御装置が提案されている（特許文献１参照）。この電気機器制御装置は、利用者の指示を出力し指示の実行結果を表示する入出力端末と、入出力端末を指示し実行結果を入力する入出力手段と、電気機器と通信する通信制御手段と、各電器機器の操作を制御する操作制御手段と、時刻情報を管理する日時管理手段と、電気機器情報を管理する電気機器情報管理手段と、各電気機器の操作履歴情報を管理する操作履歴情報管理手段と、電気機器情報や操作履歴情報を格納するデータベースを統合管理するデータベース管理手段とを備えたものである。
【先行技術文献】
【特許文献】
【０００５】
【特許文献１】特開２００１−２７３３９５号公報
【発明の概要】
【発明が解決しようとする課題】
【０００６】
上述したように、情報通信端末において、ホーム画面からユーザが頻繁に利用するアプリ・ファイルの起動、コンタクト情報（電話帳に保存された電話番号やメールアドレスの個人データ）に基づいた電話発信、メール作成やＷｅｂサイトブラウジング、Ｗｅｂアクセス先情報（ＵＲＬやサイト名など）への接続とブラウジング等にかかる操作ステップ数を少なくするため、ホーム画面上に、それらアプリ・ファイル、コンタクト情報、アクセス先情報のショートカットをアイコンやウィジェット（デスクトップ上で動作するアクセサリソフトウェア）として配置する方法が用いられてきた。また、ホーム画面上のショートカットアイコンやウィジェットの配置は、ユーザの設定操作を前提としてユーザの使い勝手に合わせたショートカット配置を可能としていた。しかしながら、これらの方法では、ユーザがホーム画面上に、アイコンやウィジェットを設定するのに手間がかかるという課題があった。
【０００７】
本発明は、上記課題を鑑みてなされたものであり、ユーザ操作性に優れたホーム画面を表示させることができる情報通信端末を提供することを目的とする。
【課題を解決するための手段】
【０００８】
上記課題を解決するために、本発明に係る情報通信端末は、操作される毎に操作履歴を記憶する記憶手段と、操作起点となるホーム画面を表示する際、前記記憶手段から操作履歴情報を取得してこの操作履歴情報から推奨情報を生成する生成手段と、前記生成手段により生成された推奨情報を含んだホーム画面を表示する表示手段と、を備えたことを特徴とする。
【０００９】
また、本発明に係る情報通信端末は、操作される毎に操作履歴を記憶する記憶手段と、前記記憶手段から操作履歴情報を取得してこの操作履歴情報から推奨情報を生成する生成手段と、前記推奨情報の表示の指示を受け付ける第１の受付手段と、前記第１の受付手段により指示が受け付けられた際、前記生成手段により生成された推奨情報を含んだホーム画面を表示する表示手段と、を備えたことを特徴とする。
【発明の効果】
【００１０】
本発明に係る情報通信端末によると、ユーザ操作性に優れたホーム画面を表示させることが可能となる。
【図面の簡単な説明】
【００１１】
【図１】本発明に係る情報通信端末を示す斜視図。
【図２】本発明に係る情報通信端末の機能を示すブロック図。
【図３】本発明に係る情報通信端末のホーム画面表示機能を実現するためのソフトウェア構成を示すブロック図。
【図４】本発明に係る情報通信端末がレコメンドリスト生成処理を行う際の手順を示すフローチャート。
【図５】本発明に係る情報通信端末がアプリ・ファイルリスト生成処理を行う際の手順を示すフローチャート。
【図６】本発明に係る情報通信端末がウェブリスト生成処理を行う際の手順を示すフローチャート。
【図７】本発明に係る情報通信端末がコンタクトリスト生成処理を行う際の手順を示すフローチャート。
【図８】本発明に係る情報通信端末がホーム画面表示処理を行う際の手順を示すフローチャート。
【図９】（Ａ）は、本発明に係る情報通信端末においてホーム画面の一例を示す画面図、（Ｂ）は、全機能表示画面の一例を示す画面図。
【図１０】本発明に係る情報通信端末がホーム画面表示処理の別例を行う際の手順を示すフローチャート。
【図１１】（Ａ）は、本発明に係る情報通信端末においてホーム画面の一例を示す画面図、（Ｂ）は、レコメンドアプリ・ファイルリストが表示された画面の一例を示す画面図、（Ｃ）は、レコメンドウェブリストが表示された画面の一例を示す画面図、（Ｄ）は、レコメンドコンタクトリストが表示された画面の一例を示す画面図。
【発明を実施するための形態】
【００１２】
本発明に係る情報通信端末の実施形態について、添付図面を参照しながら説明する。本発明に係る情報通信端末として、ユーザが指などで画面を触れることよりデータを入力することができるディスプレイ（タッチスクリーン）を備え、このディスプレイを介した入力に基づいてユーザ操作の起点となるホーム画面を生成して表示する機能を備えた情報通信端末１を例に挙げて説明する。
【００１３】
図１は、情報通信端末１を示す斜視図である。情報通信端末１は、図１に示すように、矩形の板状の筐体１０を備えている。筐体１０の一方の面には、データを表示するとともに接触によりデータを入力するタッチスクリーン１１、音声を出力するためのスピーカ１２及び音声を入力するためのマイクロフォン１３が設けられている。
【００１４】
タッチスクリーン１１は、画面データを表示する表示機能、及び、ユーザが指や専用のペンで画面に触れた際にこの接触位置を検知することにより指示を入力する入力機能の双方の機能を備えたディスプレイである。タッチスクリーン１１は、例えばディスプレイの上に、表面に接触を検知するための素子が複数配置され、さらにその上に透明なスクリーンが積層されることにより形成されている。タッチスクリーン１１の接触を感知する方法は、圧力の変化を感知する感圧式であっても、静電気による電気信号を感知する静電式であっても、その他の方法であっても良い。
【００１５】
図２は、情報通信端末１の機能を示すブロック図である。情報通信端末１は、図３に示すように、主制御部２０、電源回路部２１、操作入力制御部２２、表示制御部２３、音声制御部２４、通信制御部２５及び記憶部２６がバスによって相互に通信可能に接続されて構成されている。
【００１６】
主制御部２０は、ＣＰＵ（Ｃｅｎｔｒａｌ  Ｐｒｏｃｅｓｓｉｎｇ  Ｕｎｉｔ）を具備し、情報通信端末１の総括的な制御を行うとともに、後述するホーム画面表示処理、その他の様々な演算処理や制御処理などを行う。電源回路部２１は、電源供給源（バッテリ等）を備え、例えば所定のタッチスクリーン１１を介した入力に基づいて情報通信端末１の電源のＯＮ／ＯＦＦ状態を切り替え、電源がＯＮ状態の場合に電力供給源から各部に対して電力を供給して、情報通信端末１を動作可能にする。
【００１７】
操作入力制御部２２はタッチスクリーン１１に対する入力インタフェースを備えていて、タッチスクリーン１１に接触があったことを検知すると、その接触があった位置を示す信号を生成して主制御部２０に伝送する。信号を受信した主制御部２０は、この信号に基づいて様々な処理を行う。表示制御部２３はタッチスクリーン１１に対する表示インタフェースを備え、主制御部２０の制御に基づいて、画面表示用データを生成してタッチスクリーン１１に表示させる。
【００１８】
音声制御部２４は、主制御部２０の制御に基づいて、マイクロフォン１３で集音された音声からアナログ音声信号を生成し、このアナログ音声信号をデジタル音声信号に変換する。また音声制御部２４は、デジタル音声信号を取得すると、主制御部２０の制御に基づいて、このデジタル音声信号をアナログ音声信号に変換し、スピーカ１２から音声として出力する。
【００１９】
通信制御部２５はアンテナ２５ａを備えていて、主制御部２０の制御に基づいて、基地局からアンテナ２５ａを介して受信した受信信号をスペクトラム逆拡散処理してデータを復元する。このデータは、主制御部２０の指示により、音声制御部２４に伝送されてスピーカ１２から出力されたり、表示制御部２３に伝送されてタッチスクリーン１１に表示されたり、または記憶部２６に記録されたりする。また通信制御部２５は、主制御部２０の制御に基づいて、マイクロフォン１３で集音された音声データや、タッチスクリーン１１を介して入力されたデータや記憶部２６に記憶されたデータを取得すると、これらのデータに対してスペクトラム拡散処理を行い、基地局に対してアンテナ２５ａを介して送信する。
【００２０】
記憶部２６は、主制御部２０が行う処理について、処理プログラムや処理に必要なデータ等を格納するＲＯＭ（Ｒｅａｄ  Ｏｎｌｙ  Ｍｅｍｏｒｙ）やハードディスク、不揮発性メモリ、主制御部２０が処理を行う際に使用されるデータを一時的に記憶するＲＡＭ（Ｒａｎｄｏｍ  Ａｃｃｅｓｓ  Ｍｅｍｏｒｙ）等から構成される。また、主制御部２０が後述するホーム画面表示処理を行う際の処理プログラムは、例えばＲＯＭに記憶されているものとする。
【００２１】
また、記憶部２６は、アドレス帳に登録されているコンタクト情報２６ａ、情報通信端末１で実行されるアプリケーションプログラムを識別するためのアイコンを示すアプリアイコン情報２６ｂ、ホーム画面を生成するための各種情報を示すホーム画面情報２６ｃ、ユーザによる情報通信端末１の操作内容の履歴を示すユーザ操作履歴情報２６ｄ、及びユーザに推奨すべき情報（レコメンド情報）がリスト化されたレコメンドリスト情報２６ｅを記憶している。
【００２２】
コンタクト情報２６ａは、アドレス帳情報であり、氏名とその人の顔写真、電話番号、メールアドレス、Ｗｅｂ（ブログなど）アクセス先ＵＲＬとの組み合わせ情報である。
【００２３】
アプリアイコン情報２６ｂは、例えば各々のアプリケーションプログラム３１の識別情報に対して、アイコン情報が対応付けられた情報である。電話機能のアプリケーションプログラム３１やメール機能のアプリケーションプログラム３１などの各々のアプリケーションプログラム３１に対してアイコンが対応付けられている。
【００２４】
ホーム画面情報２６ｃは、例えばホーム画面において使用されるウェブページのアイコンなどの情報である。ウェブページのアイコンは、ウェブ機能によってアクセスされる様々なＵＲＬに対して対応付けられたアイコンである。情報通信端末１からウェブページにアクセスするタイミングで生成されて記憶部２６ｃに記憶されても良いし、ホーム画面を生成するタイミングで生成されて記憶部２６ｃに記憶されても良い。また、ウェブページのアイコンは、任意のＵＲＬに対して使用されるデフォルトのアイコンを含んでいる。
【００２５】
操作履歴情報２６ｄは、例えば操作内容、日時が対応付けられた情報である。ユーザにより情報通信端末１が操作される毎に記録される情報である。操作内容は、例えばカメラ機能のアプリケーションプログラム３１の起動、ウェブブラウザによるウェブページの閲覧、動画再生機能のアプリケーションプログラム３１の起動、記憶部２６に記憶されているテキストや画像などのファイルの閲覧や加工、電話発信や電話受信、メール送信やメール受信などである。電話発信や電話受信、メール送信やメール受信の場合は、発信先番号やメール発信アドレスを操作に対応する情報として含む場合がある。
【００２６】
レコメンドリスト情報２６ｅは、ホーム画面において推奨情報（レコメンド情報）として表示するための情報であり、レコメンドアプリ・ファイルリスト２６ｆ、レコメンドウェブアクセスリスト２６ｇ、レコメンドコンタクトリスト２６ｈを含んでいる。レコメンドアプリ・ファイルリスト２６ｆは、推奨するアプリケーションプログラムやファイルのリストである。レコメンドウェブアクセスリスト２６ｇは、推奨するウェブサイトのリストである。レコメンドコンタクトリストｈは、推奨する通信処理のリストであり、通信相手と通信処理との組が羅列されたリストである。
【００２７】
情報通信端末１は、例えば電源が起動された場合や画面非表示モード（省電力のためにタッチスクリーン１１の表示が停止されているモード）から通常モード（タッチスクリーン１１の表示が行われているモード）に復帰する場合に、タッチスクリーン１１の表示を開始させるとともに、ホーム画面を生成してタッチスクリーン１１に表示させる機能を備えている。ホーム画面はユーザ操作の起点となる画面であり、様々なアプリケーションプログラム３１のショートカットボタンが配置された画面である。
【００２８】
図３は、情報通信端末１がこのホーム画面表示処理を行うためのソフトウェア構成を示すブロック図である。図３に示すように、情報通信端末１は、ホーム画面を生成して表示するためのアプリケーションプログラムであるホーム画面表示アプリ３０や、その他の電話機能、メール機能、ウェブ機能などを実現するための様々なアプリケーションプログラム３１を備えている。情報通信端末１は、主制御部２０がこれらのアプリケーションプログラム３０、３１を実行することにより、各種機能を実現している。
【００２９】
また情報通信端末１は、アプリイベント生成部３２を備えている。アプリイベント生成部３２は、タッチスクリーン１１を介してデータが入力されると、イベントを生成して、アプリケーションプログラム３０、３１に対してイベントを通知する。イベントを受け取ったホーム画面表示アプリ３０やその他のアプリケーションプログラム３１は、このイベントに対応する処理を行う。
【００３０】
また情報通信端末１は、ホーム画面表示アプリ３０の制御に基づいてユーザに対して推奨すべき情報（レコメンド情報）を選別してホーム画面表示アプリ３０に通知するレコメンド情報生成部３３を備えている。さらにレコメンド情報生成部３３は、操作情報記録部３４、レコメンドエンジン３５を備えている。
【００３１】
操作情報記録部３４は、ユーザにより通話機能やメール機能、ウェブ閲覧機能、カメラ機能、ゲーム機能などのアプリケーションプログラム３０、３１が操作された際、各々のアプリケーションプログラム３０、３１からそのユーザ操作の内容を取得して、ユーザ操作履歴情報２６ｄとして記憶部２６に記憶する。
【００３２】
レコメンドエンジン３５は、周期タイマ３８から所定時間の経過毎に通知を受け取ると、ユーザ操作履歴情報２６ｄに基づいてレコメンドリスト情報２６ｅを生成して更新する。その際、レコメンドリスト情報２６eを生成するにあたり、現在時刻を計時している時計部３６から現在時刻を取得したり、あるいは位置情報取得部３７から情報通信端末１の位置を取得したりして、これらの一部あるいは全部の情報から、そのとき、その位置でユーザに提示すべき情報を選定する。
【００３３】
また、レコメンドエンジン３５は、ホーム画面表示アプリ３０からの指示により、記憶部２６からレコメンドリスト情報２６ｅを取得し、ホーム画面表示アプリ３０に伝送する。ホーム画面表示アプリ３０は、レコメンドエンジン３５から取得した情報に基づいてホーム画面を生成して、タッチスクリーン１１に表示させる。
【００３４】
そして、ホーム画面表示アプリ３０は、情報通信端末１が起動されたときや画面非表示モード（省電力モード）から画面表示モード（通常モード）へと遷移したときに、タッチスクリーン１１に画面を表示する際、レコメンドエンジン３５から最新のレコメンドリスト情報２６ｅを取得するとともに、記憶部２６からコンタクト情報２６ａ、アプリアイコン情報２６ｂ、ホーム画面情報２６ｃを取得してホーム画面を生成して、タッチスクリーン１１に表示させる。このように、レコメンドエンジン３５が定期的にレコメンド情報を更新しておき、ホーム画面表示アプリ３０がレコメンドエンジン３５からレコメンド情報を取得してホーム画面を生成することにより、ホーム画面の描写時間を短縮することができる。
【００３５】
まず、主制御部２０が、レコメンドエンジン３５の制御に基づいて、定期的にレコメンドリスト情報２６ｅを生成して更新するレコメンドリスト生成処理を行う際の手順について、図４乃至図７に示すフローチャートに基づいて説明する。なお、周期タイマ３８はレコメンドエンジン３５に対して、一定時間毎に周期タイマの満了を通知するものとする。
【００３６】
主制御部２０は、電源ＯＦＦが指示されたか否かを判断する（Ｓ１０１）。この際、例えばタッチスクリーン１１において所定の操作がされた場合などに、電源ＯＦＦが指示されたものと判断される。電源ＯＦＦが指示された場合（Ｓ１０１のＹｅｓ）は、主制御部２０は情報通信端末１の電源をＯＦＦに設定する（Ｓ１０２）。
【００３７】
電源ＯＦＦが指示されていない場合（Ｓ１０１のＮｏ）は、主制御部２０は、ユーザ操作情報２６ｄが更新されたか否か、あるいは周期タイマが満了したか否かを判断する（Ｓ１０３）。ユーザ操作情報２６ｄが更新されておらず、かつ周期タイマが満了していない場合（Ｓ１０３のＮｏ）は、主制御部２０はそのまま待機する。
【００３８】
ユーザ操作情報２６ｄが更新された、あるいは周期タイマが満了した場合（Ｓ１０３のＹｅｓ）は、主制御部２０は、レコメンドアプリ・ファイルリスト２６ｆを生成して更新する（Ｓ１０５）。主制御部２０がこのアプリ・ファイルリスト生成処理を行う際の手順について、図５に示すフローチャートに基づいて説明する。
【００３９】
まず主制御部２０は、記憶部２６に記憶されているユーザ操作履歴情報２６ｄから、使用頻度の高いアプリケーションプログラムまたはファイルのリストを取得する（Ｓ２０１）。そして主制御部２０は、ステップＳ２０１にて取得したリストを基にレコメンドアプリ・ファイルリスト２６ｆとして記憶部２６に記憶させる（Ｓ２０３）。このとき、レコメンドアプリ・ファイルリスト２６ｆは、ステップＳ２０１にて取得したリストそのものでもよいし、時計部３６、位置情報取得部３７から取得したデータを用いて、並べ替えたり、取捨選択したりしたリストであっても良い。
【００４０】
次に主制御部２０は、レコメンドウェブリスト２６ｇを生成して更新する（Ｓ１０７）。主制御部２０がこのウェブリスト生成処理を行う際の手順について、図６に示すフローチャートに基づいて説明する。
【００４１】
まず主制御部２０は、記憶部２６に記憶されているユーザ操作履歴情報２６ｄから、アクセス頻度の高いＵＲＬのリストを取得する（Ｓ３０１）。そして主制御部２０は、ステップＳ３０１にて取得したリストをレコメンドアプリ・ファイルリスト２６ｆとして記憶部２６に記憶させる（Ｓ３０３）。このとき、レコメンドウェブリスト２６ｇは、ステップＳ３０１にて取得したリストそのものでもよいし、時計部３６、位置情報取得部３７から取得したデータを用いて、並べ替えたり、取捨選択したりしたリストであっても良い。
【００４２】
次に主制御部２０は、レコメンドコンタクトリスト２６ｈを生成して更新する（Ｓ１０９）。主制御部２０がこのコンタクトリスト生成処理を行う際の手順について、図７に示すフローチャートに基づいて説明する。
【００４３】
まず主制御部２０は、記憶部２６に記憶されているユーザ操作履歴情報２６ｄから、通信頻度の高い電話番号、メールアドレス、ウェブアクセス先のリストを取得する（Ｓ４０１）。そして主制御部２０は、ステップＳ４０１にて取得した電話番号、メールアドレス、ウェブアクセス先を、コンタクト情報２６ａと照らし合わせ、各々に通信相手の情報を組み合わせた情報を、レコメンドコンタクトリスト２６ｈとして記憶部２６に記憶させる（Ｓ４０３）。このとき、レコメンドコンタクトリスト２６ｈは、ステップＳ４０３の出力結果そのものでもよいが、更に、時計部３６、位置情報取得部３７から取得したデータを用いて、並べ替えたり、取捨選択したりしたリストであっても良い。
【００４４】
このようにして情報通信端末１は、ステップＳ１０１乃至Ｓ１０９の処理を繰り返すことにより、レコメンドリスト情報２６ｅを定期的に更新する。そして情報通信端末１は、非表示モードから表示モードに遷移した際に、レコメンドリスト情報２６ｅを用いてホーム画面を生成してタッチスクリーン１１に表示させる。
【００４５】
情報通信端末１がこのホーム画面表示処理を行う際の手順について、図８に示すフローチャート、図９に示す画面遷移図に基づいて説明する。主制御部２０は、ホーム画面表示アプリ３０の制御に基づいてホーム画面表示処理を行う。なお、始めにタッチスクリーン１１には画面が表示されていないものとする。
【００４６】
主制御部２０は、画面表示が指示されたか否かを判断する（Ｓ５０１）。この際、例えばタッチスクリーン１１の表示が停止している状態で、ユーザがタッチスクリーン１１に触れた場合などに、画面表示が指示されたものと判断される。画面表示が指示されていない場合（Ｓ５０１のＮｏ）は、主制御部２０はそのまま待機する。
【００４７】
画面表示が指示された場合（Ｓ５０１のＹｅｓ）は、主制御部２０は、ユーザ設定エリアを生成する（Ｓ５０３）。図９（Ａ）は、ホーム画面の一例を示す画面図である。図９（Ａ）に示すように、タッチスクリーン１１の表示画面４０には、ユーザ設定エリア４１が配置される。ユーザ設定エリア４１は、ユーザにより予め設定されたアプリケーションプログラム３１を起動するためのショートカットボタンを備えたエリアであり、ユーザ設定エリア４１には、例えばメール機能やウェブ閲覧機能を備えたアプリケーションプログラム３１へのショートカットボタンであるアプリショートカットボタン４１ａ、検索エンジンウィジェット４１ｂ、ＲＳＳ（ＲＤＦ  Ｓｉｔｅ  Ｓｕｍｍａｒｙ）リーダ４１ｃ、ＳＮＳ（Ｓｏｃｉａｌ  Ｎｅｔｗｏｒｋｉｎｇ  Ｓｅｒｖｉｃｅ）ウィジェット４１ｄなどが配置されている。ユーザ設定エリア４１のデフォルト配置は、出荷時に予め設定されていてもよい。
【００４８】
主制御部２０は、レコメンドアプリ・ファイルリスト２６ｆを取得して、このリストに基づいてレコメンドアプリ・ファイルエリア４２を生成する（Ｓ５０５）。この際、主制御部２０は、リストに含まれるアプリケーションプログラムまたはファイルに対応するアイコンをアプリアイコン情報２６ｂから取得して、レコメンドアプリ・ファイルエリア４２に、各々のアプリケーションプログラムまたはファイルを起動するためのショートカットボタンをアイコンで配置させる。
【００４９】
主制御部２０は、レコメンドウェブリスト２６ｇを取得して、このリストに基づいてレコメンドウェブエリア４３を生成する（Ｓ５０７）。この際、主制御部２０は、リストに含まれるＵＲＬに対応するアイコンをホーム画面情報２６ｃから取得して、レコメンドウェブエリア４３に、各々のＵＲＬにアクセスするためのショートカットボタンをアイコンで配置させる。なお、ホーム画面情報２６ｃに、そのＵＲＬに対応するアイコンが含まれていない場合、ホーム画面情報２６ｃからデフォルトのアイコンを取得して、このアイコンを配置させる。
【００５０】
主制御部２０は、レコメンドコンタクトリスト２６ｈを取得して、このリストに基づいてレコメンドコンタクトエリア４４を生成する（Ｓ５０９）。この際、主制御部２０は、リストに含まれる通信相手に対応するアイコン（例えば通信相手を識別するための画像からなるアイコン）をコンタクト情報２６ａから取得するとともに、電話、メール、ウェブアクセスの各々を示すアイコンをアプリアイコン情報２６ｂから取得して、レコメンドコンタクトエリア４４に、各々の通信内容を開始するためのショートカットボタンとして、通信相手を示すアイコンと通信内容を示すアイコンとが組み合わせられてなるアイコンを配置させる。なお、電話、メールの通信相手、ウェブサイトの提供元がコンタクト情報２６ａに含まれていない場合は、この通信処理についてのショートカットボタンをレコメンドコンタクトエリア４４に配置させないようにすると良い。
【００５１】
主制御部２０は、図９（Ａ）に示すように、ステップＳ５０３にて生成されたユーザ設定エリア４１、ステップＳ５０５にて生成されたレコメンドアプリ・ファイルエリア４１、Ｓ５０７にて生成されたレコメンドウェブエリア４３、Ｓ５０９にて生成されたレコメンドコンタクトエリア４４をそれぞれホーム画面に配置して、タッチスクリーン１１の表示画面４０に表示させる（Ｓ５１１）。
【００５２】
また、図９（Ａ）に示すように、タッチスクリーン１１の表示画面４０には、全機能表示ボタン４５が配置されていて、ユーザにより全機能表示ボタン４５が選択されると、全機能表示画面４６が表示される。図９（Ｂ）は、全機能表示画面４６の一例を示す画面図である。図９（Ｂ）に示すように、全機能表示画面４６は、カメラ機能、メール機能などの情報通信端末１が有する全ての機能に対して、各々の機能を起動するためのショートカットボタン４６ａが配列されている。
【００５３】
主制御部２０は、ステップＳ５０７にて、デフォルトのアイコンを使用した場合には、ホーム画面の各種エリアの表示を完了した後に、そのデフォルトのアイコンが使用されたＵＲＬにアクセスして、このウェブサイトに対応するウェブアイコンを取得して、ホーム画面情報２６ｃとして記憶部２６に記憶させる（Ｓ５１３）。これにより、次回にこのＵＲＬにアクセスするためのショートカットボタンを表示する際に、ステップＳ５１３にて記憶されたアイコンを使用することができる。
【００５４】
なお、レコメンドエリアに表示される各々の項目を使用頻度に基づいて抽出する例に付いて説明したが、これに限定されず、最近使用された項目が優先されて抽出されるようにしても良く、また、リコメンドエンジン３５から取得したリストそのものでも良いし、時計部３６、位置情報取得部３７から取得したデータを用いて、並べ替えられたり、取捨選択されたりしたリストであっても良い。
【００５５】
情報通信端末１がタッチスクリーン１１にホーム画面を表示する際に、ホーム画面の一部としてレコメンドエリアを表示する例について説明したが、これに限定されず、ホーム画面にはユーザ設定エリア４１及びレコメンドエリア４２、４３、４４を表示させるためのレコメンドボタン４７を表示して、ユーザによりレコメンドボタン４７が選択された場合に、レコメンドエリア４２、４３、４４を表示するようにしても良い。以下、レコメンドアプリ・ファイルエリア４２、レコメンドウェブエリア４３、レコメンドコンタクトエリア４４を総称してレコメンドエリアと呼ぶ。
【００５６】
情報通信端末１が、ユーザのレコメンドボタン４７等による指示に基づいてレコメンドエリアをホーム画面に配置してこのホーム画面を表示するホーム画面表示処理の手順について、図１０に示すフローチャート、図１１（Ａ）乃至図１１（Ｄ）に示す画面遷移図に基づいて説明する。
【００５７】
始めに、図１１（Ａ）に示すように、タッチスクリーン１１の表示エリア４０にはユーザ設定エリア４１が表示されているものとする。主制御部２０は、レコメンドボタン４７されたか否かを判断する（Ｓ６０１）。レコメンドボタン４７が選択されていない場合（Ｓ６０１のＮｏ）は、主制御部２０はそのまま待機する。
【００５８】
レコメンドボタン４７が選択された場合（Ｓ６０１のＹｅｓ）は、主制御部２０は、第１のレコメンドエリアを生成する（Ｓ６０３）。第１のレコメンドエリアは、いずれかのレコメンドエリアであり、予め設定されているものであっても使用頻度が高いものが選定されても良い。ここでは第１のレコメンドエリアがレコメンドアプリ・ファイルエリア４２であるものとする。この際、レコメンドアプリ・ファイルエリア４２はステップＳ５０５にて示した方法、レコメンドウェブエリア４３はステップＳ５０７にて示した、レコメンドコンタクトエリア４４はステップＳ５０９にて示した方法で生成される。
【００５９】
主制御部２０は、ステップＳ６０３にて生成されたレコメンドエリアをタッチスクリーン１１の表示画面４０に表示させる（Ｓ６０５）。例えば図１１（Ｂ）に示すように、タッチスクリーン１１の表示エリア４０にはレコメンドアプリ・ファイルエリア４２が表示される。
【００６０】
主制御部２０は、ユーザによりエリア切り替えが指示されたか否かを判断する（Ｓ６０７）。この際、主制御部２０は、ユーザによる所定の操作により切り替えが指示され、例えばタッチスクリーン１１の画面上を所定長さ以上撫でられた場合に、エリア切り替えが指示されたものと判断する。エリア切り替えが指示されていない場合（Ｓ６０７のＮｏ）は、主制御部２０はそのまま待機する。
【００６１】
エリア切り替えが指示された場合（Ｓ６０７のＹｅｓ）は、主制御部２０は、第２のレコメンドエリアを生成する（Ｓ６０９）。第２のレコメンドエリアは、第１のレコメンドエリアとは異なるいずれかのレコメンドエリアである。ここでは第２のレコメンドエリアは、例えばレコメンドウェブエリア４３またはレコメンドコンタクトエリア４４である。この際、レコメンドアプリ・ファイルエリア４２はステップＳ５０５にて示した方法、レコメンドウェブエリア４３はステップＳ５０７にて示した、レコメンドコンタクトエリア４４はステップＳ５０９にて示した方法で生成される。
【００６２】
主制御部２０は、ステップＳ６０９にて生成されたレコメンドエリアをタッチスクリーン１１の表示画面４０に表示させる（Ｓ６１１）。第２のレコメンドエリアが例えばレコメンドウェブエリア４３であった場合には、図１１（Ｃ）に示すように、タッチスクリーン１１の表示エリア４０にはレコメンドウェブエリア４３が表示される。また、第２のレコメンドエリアが例えばレコメンドコンタクトエリア４４であった場合には、図１１（Ｄ）に示すように、タッチスクリーン１１の表示エリア４０にはレコメンドコンタクトエリア４４が表示される。
【００６３】
このようにして情報通信端末１は、画面表示タイミング（情報通信端末１の起動時や画面非表示モードからの復帰時）で、最新のレコメンドエンジン出力を読み込み、レコメンドエンジン出力に基づいた最新のアプリ・ファイル、コンタクト情報付き電話発信・メール作成・ウェブブラウジング、ウェブサイト情報をアイコンとしてタッチスクリーン１１の画面上に配置する。
【００６４】
同時に、従来の使い勝手の維持に配慮し、ユーザにより予め設定されたアイコンを表示するためのユーザ設定エリア４１、情報通信端末１が有する全ての機能に関連付けられた全機能表示画面へのリンクアイコン（全機能表示ボタン４５）を設けつつ、レコメンド出力によるショートカット自動配置エリア（レコメンドエリア４２、４３、４４）を設けた。
【００６５】
また、実際の使い勝手を考慮し、レコメンドエリアは、レコメンドアプリ・ファイルエリア４２、レコメンドウェブエリア４３、レコメンドコンタクトエリア４４のように、目的別に区切られている。これらの各エリアは、ウィジェットとして実現しても良い。また、各レコメンドエリアの配置はユーザにより設定可能とすると良い。各々のレコメンドエリアにおいて、ユーザが画面上を指でスクロールすることにより、推奨度が比較的低いショートカットボタンも表示されるようにすると良い。
【００６６】
本発明に係る情報通信端末１によると、画面表示が開始されるタイミングで最新のレコメンド情報を取得して画面に表示させることにより、ユーザ操作性に優れたホーム画面を表示させることが可能となる。
【００６７】
本発明の説明として、情報通信端末１について説明したが、これに限らず、携帯電話機、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）、ＭＩＤ（Ｍｏｂｉｌｅ  Ｉｎｔｅｒｎｅｔ  Ｄｅｖｉｃｅ）、携帯音楽プレイヤー、携帯ビデオカメラ、携帯ゲーム機等、ホーム画面を表示する機能を備えている情報通信端末であれば、任意の情報通信端末であっても良い。
【符号の説明】
【００６８】
１…情報通信端末，１０…筐体，１１…タッチスクリーン，１２…スピーカ，１３…マイクロフォン，２０…主制御部，２１…電源回路部，２２…操作入力制御部，２３…表示制御部，２４…音声制御部，２５…通信制御部，２５ａ…アンテナ，２６…記憶部，２６ａ…コンタクト情報，２６ｂ…アプリアイコン情報，２６ｃ…ホーム画面情報，２６ｄ…ユーザ操作履歴情報，２６ｅ…レコメンドリスト情報，２６ｆ…レコメンドアプリ・ファイルリスト，２６ｇ…レコメンドェブリスト，２６ｈ…レコメンドコンタクトリスト  ，３０…ホーム画面表示アプリ，３１…ホーム画面表示アプリ以外のアプリケーションプログラム，３２…アプリイベント生成部，３３…レコメンド情報生成部，３４…操作情報記録部，３５…レコメンドエンジン，３６…時計部，３７…位置情報取得部，３８…周期タイマ，４０…表示画面，４１…ユーザ設定エリア，４２…レコメンドアプリ・ファイルエリア，４３…レコメンドウェブエリア，４４…レコメンドコンタクトエリア，４５…全機能表示ボタン，４６…全機能表示画面，４７…レコメンドボタン。
【図１】
2011066850.tif 000003
【図２】
2011066850.tif 000004
【図３】
2011066850.tif 000005
【図４】
2011066850.tif 000006
【図５】
2011066850.tif 000007
【図６】
2011066850.tif 000008
【図７】
2011066850.tif 000009
【図８】
2011066850.tif 000010
【図９】
2011066850.tif 000011
【図１０】
2011066850.tif 000012
【図１１】
2011066850.tif 000013